(57)【要約】      （修正有）【課題】システム全体として利便性が向上する電力管理システムを提供する。【解決手段】電力管理システムは、複数の機器と制御装置１６０とを備える。複数の機器のそれぞれは、機器の再起動後において、機器のインスタンスリストをブロードキャスト又はマルチキャストにて送信する通信部を備える。制御装置１６０は、電力供給が停止した停止状態の前において複数の機器を複数の管理機器として管理する管理部１６２と、電力供給が再開した再開状態において、インスタンスリストの送信を要求する要求コマンドを、インスタンスリストを制御装置１６０が受信できなかった未受信機器に送信する通信部１６１とを備える。【選択図】図２
2019071781.tif 000002
【特許請求の範囲】
【請求項１】
複数の機器と制御装置とを備える管理システムであって、
前記複数の機器のそれぞれは、
前記機器の再起動後において、前記機器のインスタンスリストをブロードキャスト又はマルチキャストにて送信する送信部を備え、
前記制御装置は、
電力供給が停止した停止状態の前において前記複数の機器を複数の管理機器として管理する管理部と、
電力供給が再開した再開状態において、前記インスタンスリストの送信を要求する要求コマンドを、前記インスタンスリストを前記制御装置が受信できなかった未受信機器に送信する送信部とを備えることを特徴とする管理システム。
【請求項２】
前記制御装置の前記送信部は、前記要求コマンドをブロードキャスト又はマルチキャストにて送信することを特徴とする請求項１に記載の管理システム。
【請求項３】
前記管理部は、前記複数の管理機器のそれぞれに対応する複数のＩＰアドレスを管理しており、
前記制御装置の前記送信部は、前記ＩＰアドレスを用いて、前記要求コマンドを前記未受信機器に個別に送信することを特徴とする請求項１に記載の管理システム。
【請求項４】
前記制御装置の送信部は、前記ＩＰアドレスを用いて前記要求コマンドを前記未受信機器に個別に送信してから所定時間を経過しても前記インスタンスリストを受信できない場合に、前記要求コマンドをブロードキャストにて送信することを特徴とする請求項３に記載の管理システム。
【請求項５】
前記制御装置の前記送信部は、前記未受信機器として２以上の未受信機器がある場合には、前記２以上の未受信機器のそれぞれに対して、異なるタイミングで前記要求コマンドを送信することを特徴とする請求項３に記載の管理システム。
【請求項６】
前記電力供給が再開した再開状態は、電力系統によって電力供給が再開された状態及び自立運転によって電力供給が再開された状態の少なくともいずれか１つであることを特徴とする請求項１乃至請求項５のいずれかに記載の管理システム。
【請求項７】
前記要求コマンドは、前記未受信機器として２以上の未受信機器がある場合には、前記２以上の未受信機器のそれぞれが前記インスタンスリストを再送する再送タイミングを指定する情報を含むことを特徴とする請求項１乃至請求項６のいずれかに記載の管理システム。
【請求項８】
前記再送タイミングは、前記２以上の未受信機器ごとに異なることを特徴とする請求項７に記載の管理システム。
【請求項９】
前記要求コマンドは、前記インスタンスリストを前記制御装置が受信できた既受信機器を識別する情報を含むことを特徴とする請求項１乃至請求項８のいずれかに記載の管理システム。
【請求項１０】
複数の機器のそれぞれから制御装置に対して、前記機器の再起動後において、前記機器のインスタンスリストをブロードキャスト又はマルチキャストにて送信するステップと、
前記制御装置が、電力供給が停止した停止状態の前において前記複数の機器を複数の管理機器として管理するステップと、
電力供給が再開した再開状態において、前記制御装置から前記インスタンスリストを前記制御装置が受信できなかった未受信機器に対して、前記インスタンスリストの送信を要求する要求コマンドを送信するステップとを備えることを特徴とする管理方法。
【請求項１１】
機器であって、
前記機器の再起動後において、前記機器のインスタンスリストをブロードキャスト又はマルチキャストにて送信する送信部と、
前記インスタンスリストの送信を要求する要求コマンドを制御装置から受信する受信部とを備え、
前記送信部は、前記インスタンスリストをブロードキャスト又はマルチキャストにて送信した後であっても、前記要求コマンドの受信に応じて、前記インスタンスリストを前記制御装置に再送することを特徴とする機器。
【請求項１２】
制御装置であって、
複数の機器のそれぞれの再起動後において、前記機器のインスタンスリストを受信する受信部と、
電力供給が停止した停止状態の前において前記複数の機器を複数の管理機器として管理する管理部と、
電力供給が再開した再開状態において、前記インスタンスリストの送信を要求する要求コマンドを、前記インスタンスリストを前記制御装置が受信できなかった未受信機器に送信する送信部とを備えることを特徴とする制御装置。
【発明の詳細な説明】
【技術分野】
【０００１】
本発明は、管理システム、管理方法、機器及び制御装置に関する。
【背景技術】
【０００２】
近年、複数の機器と、複数の機器を制御する制御装置とを有する管理システムが提案されている（例えば、特許文献１）。複数の機器は、例えば、エアーコンディショナー、照明装置などの家電機器、及び、太陽電池、蓄電池、燃料発電装置などの分散電源である。制御装置は、例えば、ＨＥＭＳ（Ｈｏｍｅ  Ｅｎｅｒｇｙ  Ｍａｎａｇｅｍｅｎｔ  Ｓｙｓｔｅｍ）、ＳＥＭＳ（Ｓｔｏｒｅ  Ｅｎｅｒｇｙ  Ｍａｎａｇｅｍｅｎｔ  Ｓｙｓｔｅｍ）、ＢＥＭＳ（Ｂｕｉｌｄｉｎｇ  Ｅｎｅｒｇｙ  Ｍａｎａｇｅｍｅｎｔ  Ｓｙｓｔｅｍ）、ＦＥＭＳ（Ｆａｃｔｏｒｙ  Ｅｎｅｒｇｙ  Ｍａｎａｇｅｍｅｎｔ  Ｓｙｓｔｅｍ）、ＣＥＭＳ（Ｃｌｕｓｔｅｒ／Ｃｏｍｍｕｎｉｔｙ  Ｅｎｅｒｇｙ  Ｍａｎａｇｅｍｅｎｔ  Ｓｙｓｔｅｍ）などと称される。
【先行技術文献】
【特許文献】
【０００３】
【特許文献１】特開２０１０−１２８８１０号公報
【発明の概要】
【発明が解決しようとする課題】
【０００４】
上述した管理システムの普及には、複数の機器と制御装置との間の通信規格を共通化することが効果的であり、このような通信規格の共通化が試みられている。
【課題を解決するための手段】
【０００５】
管理システムは、複数の機器と制御装置とを備える。前記複数の機器のそれぞれは、前記機器の再起動後において、前記機器のインスタンスリストをブロードキャスト又はマルチキャストにて送信する送信部を備える。前記制御装置は、電力供給が停止した停止状態の前において前記複数の機器を複数の管理機器として管理する管理部と、電力供給が再開した再開状態において、前記インスタンスリストの送信を要求する要求コマンドを、前記インスタンスリストを前記制御装置が受信できなかった未受信機器に送信する送信部とを備える。
【０００６】
管理方法は、複数の機器のそれぞれから制御装置に対して、前記機器の再起動後において、前記機器のインスタンスリストをブロードキャスト又はマルチキャストにて送信するステップと、前記制御装置が、電力供給が停止した停止状態の前において前記複数の機器を複数の管理機器として管理するステップと、電力供給が再開した再開状態において、前記制御装置から前記インスタンスリストを前記制御装置が受信できなかった未受信機器に対して、前記インスタンスリストの送信を要求する要求コマンドを送信するステップとを備える。
【０００７】
機器は、前記機器の再起動後において、前記機器のインスタンスリストをブロードキャスト又はマルチキャストにて送信する送信部と、前記インスタンスリストの送信を要求する要求コマンドを制御装置から受信する受信部とを備える。前記送信部は、前記インスタンスリストをブロードキャスト又はマルチキャストにて送信した後であっても、前記要求コマンドの受信に応じて、前記インスタンスリストを前記制御装置に再送する。
【０００８】
制御装置は、複数の機器のそれぞれの再起動後において、前記機器のインスタンスリストを受信する受信部と、電力供給が停止した停止状態の前において前記複数の機器を複数の管理機器として管理する管理部と、電力供給が再開した再開状態において、前記インスタンスリストの送信を要求する要求コマンドを、前記インスタンスリストを前記制御装置が受信できなかった未受信機器に送信する送信部とを備える。
【図面の簡単な説明】
【０００９】
【図１】図１は、実施形態に係る電力管理システム１を示す図である。
【図２】図２は、実施形態に係るＥＭＳコントローラ１６０を示す図である。
【図３】図３は、実施形態に係る機器５００を示す図である。
【図４】図４は、実施形態に係る管理方法を示す図である。
【図５】図５は、変更例１に係る管理方法を示す図である。
【発明を実施するための形態】
【００１０】
以下において、実施形態について図面を参照しながら説明する。なお、以下の図面の記載において、同一又は類似の部分には、同一又は類似の符号を付している。
【００１１】
ただし、図面は模式的なものであり、各寸法の比率などは現実のものとは異なる場合があることに留意する。従って、具体的な寸法などは以下の説明を参酌して判断すればよい。また、図面相互間においても互いの寸法の関係や比率が異なる部分が含まれる場合がある。
【００１２】
［実施形態］
（電力管理システム）
以下において、実施形態に係る電力管理システムについて説明する。
【００１３】
図１に示すように、電力管理システム１は、施設１００と、外部サーバ４００とを有する。施設１００は、ルータ２００を有する。ルータ２００は、ネットワーク３００を介して外部サーバ４００と接続される。ルータ２００は、ローカルエリアネットワークを構成しており、例えば、ＰＣＳ１３０、負荷１５０、ＥＭＳコントローラ１６０及び操作端末１７０などと接続される。図１において、実線は電力線を示しており、点線は信号線を示している。なお、これに限定されるものではなく、電力線で信号を送信してもよい。
【００１４】
施設１００は、太陽電池１１０と、蓄電池１２０と、ＰＣＳ１３０と、分電盤１４０と、負荷１５０と、ＥＭＳコントローラ１６０と、操作端末１７０とを有する。
【００１５】
太陽電池１１０は、受光に応じて発電を行う装置である。太陽電池１１０は、発電された直流電力（以下、ＤＣ電力）を出力する。太陽電池１１０の発電量は、太陽電池１１０に照射される日射量に応じて変化する。
【００１６】
蓄電池１２０は、電力を蓄積する装置である。蓄電池１２０は、蓄積されたＤＣ電力を出力する。
【００１７】
ＰＣＳ１３０は、ＤＣ電力をＡＣ電力に変換する電力変換装置（ＰＣＳ；Ｐｏｗｅｒ  Ｃｏｎｄｉｔｉｏｎｉｎｇ  Ｓｙｓｔｅｍ）の一例である。実施形態では、ＰＣＳ１３０は、変換装置１３１及び通信装置１３２を有する。
【００１８】
変換装置１３１は、太陽電池１１０から入力されるＤＣ電力を交流電力（以下、ＡＣ電力）に変換するとともに、蓄電池１２０から入力されるＤＣ電力をＡＣ電力に変換する。変換装置１３１は、電力系統１０から供給されるＡＣ電力をＤＣ電力に変換する。通信装置１３２は、変換装置１３１と接続されており、変換装置１３１への各種メッセージを受信するとともに、変換装置１３１からの各種メッセージを送信する。通信装置１３２と変換装置１３１との間の通信では、後述する所定プロトコルに準拠しないプロトコル（例えば、独自プロトコル）が用いられてもよい。
【００１９】
実施形態では、変換装置１３１は、電力系統１０に接続された主幹電力線１０Ｌ（ここでは、主幹電力線１０ＬＡ及び主幹電力線１０ＬＢ）に第１分電盤１４０Ａを介して接続されるとともに、太陽電池１１０及び蓄電池１２０の双方に接続される。主幹電力線１０ＬＡは、電力系統１０と第１分電盤１４０Ａとを接続する電力線である。主幹電力線１０ＬＢは、第１分電盤１４０Ａと第２分電盤１４０Ｂとを接続する電力線である。
【００２０】
分電盤１４０は、主幹電力線１０Ｌに接続される。分電盤１４０は、第１分電盤１４０Ａ及び第２分電盤１４０Ｂを有する。第１分電盤１４０Ａは、主幹電力線１０ＬＡを介して電力系統１０に接続されているとともに、変換装置１３１を介して太陽電池１１０及び蓄電池１２０と接続されている。また、第１分電盤１４０Ａは、変換装置１３１から出力される電力及び電力系統１０から供給される電力を制御して主幹電力線１０ＬＢに流す。主幹電力線１０ＬＢから流れてきた電力は、第２分電盤１４０Ｂによって、各装置（ここでは、負荷１５０及びＥＭＳコントローラ１６０）に分配される。
【００２１】
負荷１５０は、電力線を介して供給される電力を消費する装置である。例えば、負荷１５０は、冷蔵庫、照明、エアコン、テレビなどの装置を含む。負荷１５０は、単数の装置であってもよく、複数の装置を含んでもよい。
【００２２】
ＥＭＳコントローラ１６０は、各機器（例えば、太陽電池１１０、蓄電池１２０、ＰＣＳ１３０又は負荷１５０）を制御する装置（ＥＭＳ；Ｅｎｅｒｇｙ  Ｍａｎａｇｅｍｅｎｔ  Ｓｙｓｔｅｍ）である。具体的には、ＥＭＳコントローラ１６０は、ルータ２００を介して各機器と接続されており、所定プロトコルに準拠する所定メッセージの通信を各機器と行う。
【００２３】
実施形態では、所定プロトコルは、特に限定されるものではなく、例えば、ＥＣＨＯＮＥＴ  Ｌｉｔｅ方式、ＳＥＰ２．０またはＫＮＸ等である。所定フォーマットは、例えば、ＥＣＨＯＮＥＴ  Ｌｉｔｅに準拠するフォーマットである。所定メッセージは、例えば、ＳＥＴコマンド、ＧＥＴコマンド、ＳＥＴコマンドに対する応答コマンド、ＧＥＴコマンドに対する応答コマンド又はＩＮＦコマンドである。ＳＥＴコマンドは、機器に対する設定又は操作を指示するためのメッセージである。ＧＥＴコマンドは、機器の状態を取得するためのメッセージである。ＳＥＴコマンドに対する応答コマンドは、ＳＥＴコマンドで指示された設定又は操作を受け付けた旨を示すメッセージである。ＧＥＴコマンドに対する応答コマンドは、ＧＥＴコマンドで要求された情報を含むメッセージである。ＩＮＦコマンドは、ＰＣＳ１３０の状態を通知するためのメッセージである。
【００２４】
操作端末１７０は、ＥＭＳコントローラ１６０にアクセス要求を送信することによって、各機器（例えば、太陽電池１１０、蓄電池１２０、ＰＣＳ１３０又は負荷１５０）を遠隔操作する端末である。操作端末１７０とＥＭＳコントローラ１６０との間の通信は、所定プロトコルに準拠しないプロトコル（例えば、独自プロトコル）が用いられてもよい。操作端末１７０は、例えば、スマートフォン、タブレット又は専用端末である。操作端末１７０は、有線又は無線によりＥＭＳコントローラ１６０と接続されており、ＥＭＳコントローラ１６０と通信を行う。操作端末１７０は、所定フォーマットを有する所定メッセージの通信をＥＭＳコントローラ１６０と行ってもよい。
【００２５】
外部サーバ４００は、電力事業者又は電力アグリゲータ−によって管理されるサーバである。外部サーバ４００は、ＰＣＳ１３０又はＥＭＳコントローラ１６０に対して電力指令メッセージを送信する。
【００２６】
電力指令メッセージは、電力系統１０から供給される電力の量である潮流量又は電力系統１０に供給される電力の量である逆潮流量の抑制に関するメッセージである。潮流量の削減に関する電力指令メッセージは、例えば電力使用量の削減希望量が○％削減である旨のメッセージであったり、電力使用量の削減希望量が○ｋｗｈ削減である旨のメッセージであったり、削減量に応じてインセンティブを提示する旨のメッセージであってもよい。逆潮流の抑制に関するメッセージは、例えば、逆潮流を○％削減する旨のメッセージ等が想定される。施設１００に設けられる蓄電池１２０などの分散電源がＶＰＰ（Ｖｉｒｔｕａｌ  Ｐｏｗｅｒ  Ｐｌａｎｔ）に用いられる場合において、電力指令メッセージは、分散電源を制御するメッセージであってもよい。
【００２７】
（制御装置）
以下において、実施形態に係る制御装置について説明する。図２に示すように、制御装置（ＥＭＳコントローラ１６０）は、通信部１６１と、管理部１６２と、制御部１６３とを有する。
【００２８】
通信部１６１は、通信モジュールによって構成されており、各機器（例えば、太陽電池１１０、蓄電池１２０、ＰＣＳ１３０又は負荷１５０）と通信を行う。通信部１６１は、操作端末１７０及び外部サーバ４００と通信を行う。
【００２９】
通信部１６１は、複数の機器のそれぞれの再起動後において、機器の実体を表すインスタンスのリストであるインスタンスリストを受信する。通信部１６１は、インスタンスリストをブロードキャスト又はマルチキャストにて受信してもよい。通信部１６１は、インスタンスリストをユニキャストで受信してもよい。このようなケースにおいて、各機器からマルチキャスト又はブロードキャストにて送信されるインスタンスリストをルータ２００がユニキャストにてＥＭＳコントローラ１６０に送信してもよい。通信部１６１は、電力供給が再開した再開状態において、インスタンスリストの送信を要求する要求コマンドを未受信機器に送信する。未受信機器は、管理部１６２によって管理される複数の管理機器のうち、インスタンスリストを通信部１６１が受信できなかった機器である。ここで、管理機器とは、複数の機器のうち、管理部１６２によって管理される機器を意味する。
【００３０】
ここで、「インスタンス」とは、１つのノードを構成する機器の実体を表す用語であり、例えば、１つのノードに対して複数のエアーコンディショナーが設けられる場合に、各エアーコンディショナーは異なるインスタンスである。一方で、１つのノードに対してエアーコンディショナー及びエアーコンディショナーに付随するセンサが設けられる場合に、エアーコンディショナー及びセンサは同じインスタンスであってもよい。
【００３１】
管理部１６２は、揮発性若しくは不揮発性のメモリ、又は、ＨＤＤ若しくはＳＳＤなどのディスクドライブによって構成されており、各種情報を管理する。管理部１６２は、電力供給が停止した停止状態の前において複数の機器を複数の管理機器として管理する。例えば、管理部１６２は、複数の管理機器のそれぞれに対応するユニーク情報（固有情報）、複数の管理機器のそれぞれに対応するＩＰアドレス、複数の管理機器のそれぞれの設置場所などを管理する。
【００３２】
ここで、ユニーク情報は、ＥＭＳコントローラ１６０において機器を識別するための情報であり、ＩＰアドレスのように変更される可能性がない機器固有の情報である。ユニーク情報は、機器を一意に識別する識別番号であってもよい。或いは、ユニーク情報は、１以上の機器を有するノードのクラスを特定するノードプロファイルクラスを識別する識別番号であってもよい。或いは、ユニーク情報は、ノードプロファイルクラスを識別する識別番号及び機器オブジェクト毎に割り当てられる情報（インスタンスを特定する番号）の組合せであってもよい。或いは、ユニーク情報は、機器に割り当てられたアドレス（ＭＡＣアドレス又は固定ＩＰアドレス）及び機器のオブジェクトのタイプを識別する情報の組合せであってもよい。また、ユニーク情報は、機器の製造番号であってもよい。
【００３３】
制御部１６３は、ＣＰＵ及びメモリによって構成されており、ＥＭＳコントローラ１６０を制御する。制御部１６３は、電力供給が再開した再開状態において、上述した未受信機器が存在する場合に、機器に対する要求コマンドの送信を通信部１６１に指示する。
【００３４】
（機器）
以下において、実施形態に係る機器について説明する。機器５００は、ＥＭＳコントローラ１６０によって制御される機器であればよく、太陽電池１１０、蓄電池１２０、ＰＣＳ１３０又は負荷１５０である。図３に示すように、機器５００は、通信部５１０と、制御部５２０とを有する。
【００３５】
通信部５１０は、通信モジュールによって構成されており、ＥＭＳコントローラ１６０と通信を行う。
【００３６】
通信部５１０は、機器５００の再起動後において、インスタンスリストをブロードキャスト又はマルチキャストにて送信する。通信部５１０は、インスタンスリストの送信を要求する要求コマンドをＥＭＳコントローラ１６０から受信する。ここで、通信部５１０は、インスタンスリストをブロードキャスト又はマルチキャストにて送信した後であっても、要求コマンドの受信に応じて、インスタンスリストをＥＭＳコントローラ１６０に再送する。
【００３７】
機器５００は、機器５００に対する電力供給が停止した後において機器５００に対する電力供給が再開されると再起動する。機器５００に対する電力供給が再開されるケースは、電力系統１０によって電力供給が再開されるケースであってもよく、自立運転によって電力供給が再開されるケースであってもよい。
【００３８】
制御部５２０は、ＣＰＵ及びメモリによって構成されており、機器５００を制御する。制御部５２０は、インスタンスリストをブロードキャスト又はマルチキャストにて送信した後において、要求コマンドをＥＭＳコントローラ１６０から受信した場合に、ＥＭＳコントローラ１６０に対するインスタンスリストの再送を通信部５１０に指示する。
【００３９】
（管理方法）
以下において、実施形態に係る管理方法について説明する。図４では、機器５００として、機器５００Ａ〜機器５００Ｄが例示されている。
【００４０】
図４に示すように、ステップＳ１１において、ＥＭＳコントローラ１６０は、機器５００Ａ〜機器５００Ｄを管理機器として管理する。
【００４１】
ステップＳ１２において、ＥＭＳコントローラ１６０及び機器５００に対する電力供給が停止する。電力供給が停止する場合としては、例えば、停電する場合、自ら手動又は自動で電力供給を停止する場合等が挙げられる。
【００４２】
ステップＳ１３において、ＥＭＳコントローラ１６０及び機器５００に対する電力供給が再開する。電力供給が再開した再開状態は、電力系統１０によって電力供給が再開された状態及び自立運転によって電力供給が再開された状態の少なくともいずれか１つである。
【００４３】
ステップＳ１４において、機器５００の再起動が行われ、ステップＳ１５において、ＥＭＳコントローラ１６０の再起動が行われる。ＥＭＳコントローラ１６０の再起動タイミングは、機器５００の再起動タイミングと同じであってもよく異なっていてもよい。図４に示す例では、機器５００の再起動が行われた後にＥＭＳコントローラ１６０の再起動が行われる場合であるが、ＥＭＳコントローラ１６０の再起動が行われた後に機器５００の再起動が行われてもよい。
【００４４】
ステップＳ１６において、複数の機器５００のそれぞれは、インスタンスリストをブロードキャスト又はマルチキャストにて送信する。但し、図４に示す例では、機器５００Ｃ及び機器５００Ｄから送信されたインスタンスリストがＥＭＳコントローラ１６０によって受信されないものとする。
【００４５】
ステップＳ１７において、ＥＭＳコントローラ１６０は、インスタンスリストの送信を要求する要求コマンド（ここでは、ＧＥＴコマンド）を未受信機器（機器５００Ｃ及び機器５００Ｄ）に対して送信する。ここで、ステップＳ１１で機器５００Ａ〜機器５００Ｄが管理機器として管理されているため、未受信機器の有無をＥＭＳコントローラ１６０が判断することができることに留意すべきである。例えば、ＥＭＳコントローラ１６０は、要求コマンドをブロードキャスト又はマルチキャストにて送信する。
【００４６】
ステップＳ１８において、機器５００Ｃは、要求コマンドの受信に応じて、インスタンスリストをＥＭＳコントローラ１６０に再送する。同様に、ステップＳ１９において、機器５００Ｄは、要求コマンドの受信に応じて、インスタンスリストをＥＭＳコントローラ１６０に再送する。
【００４７】
なお、要求コマンドがブロードキャスト又はマルチキャストにてＥＭＳコントローラ１６０から機器５００へ送信される場合には、インスタンスリストがＥＭＳコントローラ１６０に到達した否かを機器５００が判断することができない。従って、基本的には、機器５００Ａ及び機器５００ＢもインスタンスリストをＥＭＳコントローラ１６０に再送する。但し、ＥＭＳコントローラ１６０がインスタンスリストを受信できた既受信機器を識別する情報が要求コマンドに含まれていてもよい。これによって、機器５００Ａ及び機器５００ＢからＥＭＳコントローラ１６０に対するインスタンスリストの再送を省略することができる。
【００４８】
（作用及び効果）
実施形態では、ＥＭＳコントローラ１６０は、電力供給が再開した再開状態において、インスタンスリストの送信を要求する要求コマンドを未受信機器に送信する。すなわち、ＥＭＳコントローラ１６０は、未送信機器からブロードキャスト又はマルチキャストにて送信されたインスタンスリストの受信に失敗した場合であっても、要求コマンドによってインスタンスリストの取得を試みる。このような動作によってインスタンスリストを取得できた場合には、未受信機器を利用することができるため、システム全体として利便性が向上する。さらに、ＥＭＳコントローラ１６０は、このような動作によってインスタンスリストを取得できなかった場合に限って未受信機器を利用することができないと判定するため、未受信機器を利用することができるか否かの判断精度を向上することができる。
【００４９】
［変更例１］
以下において、実施形態の変更例１について説明する。以下においては、実施形態に対する相違点について主として説明する。
【００５０】
実施形態では、ＥＭＳコントローラ１６０は、要求コマンドをブロードキャスト又はマルチキャストにて送信する。これに対して、ＥＭＳコントローラ１６０は、ＥＭＳコントローラ１６０で管理されているＩＰアドレスを用いて、要求コマンドを未受信機器に個別に送信する。
【００５１】
具体的には、図５を参照しながら説明する。図５において、図４と同様の処理について同様のステップ番号を付している。従って、ステップＳ１１〜ステップＳ１６の説明については省略する。
【００５２】
図５に示すように、ステップＳ２１において、ＥＭＳコントローラ１６０は、ステップＳ１１で管理されていた機器５００ＣのＩＰアドレスを用いて、インスタンスリストの送信を要求する要求コマンド（ここでは、ＧＥＴコマンド）を未受信機器（機器５００Ｃ）に個別に送信する。ステップＳ２２において、機器５００Ｃは、要求コマンドの受信に応じて、インスタンスリストをＥＭＳコントローラ１６０に再送する。
【００５３】
同様に、ステップＳ２３において、ＥＭＳコントローラ１６０は、ステップＳ１１で管理されていた機器５００ＤのＩＰアドレスを用いて、インスタンスリストの送信を要求する要求コマンドを未受信機器（機器５００Ｄ）に個別に送信する。ステップＳ２４において、機器５００Ｄは、要求コマンドの受信に応じて、インスタンスリストをＥＭＳコントローラ１６０に再送する。
【００５４】
このようなケースにおいて、ＥＭＳコントローラ１６０は、２以上の未受信機器（機器５００Ｃ及び機器５００Ｃ）のそれぞれに対して、異なるタイミングで要求コマンドを送信してもよい。すなわち、ステップＳ２１及びステップＳ２２のタイミングが異なってもよい。
【００５５】
或いは、要求コマンドは、２以上の未受信機器（機器５００Ｃ及び機器５００Ｃ）のそれぞれがインスタンスリストを再送する再送タイミングを指定する情報（再送タイミング情報）を含んでもよい。再送タイミングは、２以上の未受信機器毎に異なってもよい。再送タイミング情報は、例えば、インスタンスリストを送信する時刻であってもよいし、受信から送信までの待ち時間であってもよいし、ＥＭＳコントローラ１６０の要求コマンドの送信時刻からの待ち時間であってもよい。
【００５６】
再送タイミング情報は、再送のタイミングが、例えば機器５００ごとに設定されてもよい。より具体的には、再送タイミング情報は、再送のタイミングが、予め設定された機器ごと（例えば、蓄電池１、蓄電池２、燃料電池１、燃料電池２、太陽電池１及び太陽電池２など）のリストに基づいて設定されてもよいし、電力供給停止前に管理していた機器ごとに基づいて設定されてもよい。
【００５７】
また、再送タイミング情報は、機器５００の機種ごとに設定されてもよい。機器５００の機種とは、例えば、蓄電池、太陽電池又は燃料電池等カテゴリー単位である。複数の蓄電池を機器５００として有している場合には、複数の蓄電池は再送タイミングが同じとなるように設定してもよい。
【００５８】
なお、機器５００が３つ以上存在する場合において、少なくとも１つの再送タイミングが他と異なっていればよく、そのなかで再送タイミングが同じものがあってもよい。これにより、機器５００からインスタンスリストを送信する際の輻輳を低減することができる。
【００５９】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【００６０】
ＥＭＳコントローラ１６０（通信部１６１）は、ＩＰアドレスを用いて要求コマンドを未受信機器に個別に送信してから所定時間を経過してもインスタンスリストを受信できない場合に、要求コマンドをブロードキャストにて送信してもよい。このような動作は、ＩＰアドレスが動的に割り当てられる環境下において、未受信機器に割り当てられていたＩＰアドレスが変更されたケースに有効である。
【００６１】
ＥＭＳコントローラ１６０は、ネットワーク３００に接続された装置であり、ＥＭＳコントローラ１６０が有する機能は、ネットワーク３００を介したクラウドサービスによって提供されてもよい。
【００６２】
なお、日本国特許出願第２０１６−２９９４５号（２０１６年２月１９日出願）の全内容が参照により本願明細書に組み込まれている。
【図１】
2019071781.tif 000003
【図２】
2019071781.tif 000004
【図３】
2019071781.tif 000005
【図４】
2019071781.tif 000006
【図５】
2019071781.tif 000007